(57)【要約】【課題】オリフィスの着脱が容易なレンジフードを提供すること。【解決手段】レンジフード１は、排気ファンと、この排気ファンの吸込口を形成するリング状のオリフィス３と、このオリフィス３を係止するツメ部１１を有するオリフィス取付部１０とを備える。オリフィス３は、周縁部６に、ツメ部１１を差し込み可能な切欠き部４が形成され、この切欠き４に差し込まれたツメ部１１に周縁部６が係止されてオリフィス取付部１０にオリフィス３が取り付けられる。【選択図】図１
2015148388.tif 000002
【特許請求の範囲】
【請求項１】
排気ファンと、この排気ファンの吸込口を形成するリング状のオリフィスと、このオリフィスを係止するツメ部を有するオリフィス取付部とを備え、前記オリフィスは、周縁部に、前記ツメ部を差し込み可能な切欠き部が形成され、この切欠き部に差し込まれた前記ツメ部に前記周縁部が係止されて前記オリフィス取付部に前記オリフィスが取り付けられることを特徴とするレンジフード。
【請求項２】
前記オリフィスの周縁部には、前記切欠き部から周方向に離れた位置に、ストッパーが突出して設けられ、前記切り込み部に差し込まれたツメ部が前記ストッパーと当接するまで前記オリフィスが周方向に回転可能とされていることを特徴とする請求項１に記載のレンジフード。
【発明の詳細な説明】
【技術分野】
【０００１】
本発明は、レンジフードに関する。
【背景技術】
【０００２】
調理器の上方に設置され、調理時に発生する油煙等を含んだ空気を排気するレンジフードとして、たとえば次の構成を有したものが知られている（たとえば特許文献１参照）。
【０００３】
下面が開放されたフード外枠内に渦巻状のファンケーシングが取り付けられ、ファンケーシング内部には、調理時に発生した油煙等を含んだ空気を排気する排気ファンが配置されている。このファンケーシングには、吸込口を形成するオリフィスが蝶ボルトで着脱可能に取り付けられている。吸込口はフード外枠の下面の開放口と連通しており、吸込口とフード外枠の開放口との間にはフィルターが設けられている。ファンケーシングの吐出口には室外と連通するダクトが設けられている。
【０００４】
排気ファンの作動時、調理で発生した油煙等を含んだ空気は、フィルターを通過し、オリフィスから吸い込まれ、ファンケーシング、ダクトを通って屋外に排出される。
【先行技術文献】
【特許文献】
【０００５】
【特許文献１】特開平８−４２８８７号公報
【発明の概要】
【発明が解決しようとする課題】
【０００６】
上記した構成のレンジフードにおいては、ファンケーシング内部を油煙等を含んだ空気が通過することから、長期間の使用により油等の汚れがファンケーシング内面や排気ファンに多量に付着する。このため、オリフィスを取り外し、必要に応じて排気ファンを取り外してファンケーシング内面や排気ファンを清掃し清掃後はオリフィスを取り付けている。オリフィスは蝶ボルトでネジ止めされて取り付けられることから、オリフィスの着脱は手間のかかる作業であった。たとえば、オリフィスの取り外し時においては、油等の汚れが固化していることにより蝶ボルトを緩めることが困難なことが多かった。オリフィスの取り付け時においては、位置合わせしたオリフィスがずれないように一方の手で押さえつつ他方の手でネジ穴に蝶ボルトを差し込んでネジ止めを行っており時間がかかっていた。
【０００７】
本発明は、以上のとおりの事情に鑑みてなされたものであり、オリフィスの着脱が容易なレンジフードを提供することを課題としている。
【課題を解決するための手段】
【０００８】
上記の課題を解決するために、本発明のレンジフードは、排気ファンと、この排気ファンの吸込口を形成するリング状のオリフィスと、このオリフィスを係止するツメ部を有するオリフィス取付部とを備え、オリフィスは、周縁部に、ツメ部を差し込み可能な切欠き部が形成され、この切欠き部に差し込まれたツメ部に周縁部が係止されてオリフィス取付部にオリフィスが取り付けられることを特徴とする。
【０００９】
このレンジフードにおいては、オリフィスの周縁部には、切欠き部から周方向に離れた位置に、ストッパーが突出して設けられ、切り込み部に差し込まれたツメ部がストッパーと当接するまでオリフィスが周方向に回転可能とされていることが好ましい。
【発明の効果】
【００１０】
本発明のレンジフードによれば、オリフィスの着脱を容易にすることができる。
【図面の簡単な説明】
【００１１】
【図１】（ａ）は本発明のレンジフードの一実施形態を示した要部斜視図であり、（ｂ）は（ａ）に示したレンジフードのツメ部付近の断面図である。
【図２】図１（ａ）に示したレンジフードの断面図である。
【図３】（ａ）は、レンジフードの別の実施形態を示した要部斜視図であり、（ｂ）はオリフィスのファンケーシングへの取り付けの説明図である。
【発明を実施するための形態】
【００１２】
図１（ａ）は本発明のレンジフードの一実施形態を示した要部斜視図であり、図１（ｂ）は（ａ）に示したレンジフードのツメ部付近の断面図である。なお、図１（ａ）は内フードを外した状態のレンジフードを示している。図２は、図１（ａ）に示したレンジフードの断面図である。
【００１３】
図１のレンジフード１は、排気ファン（図１において図示なし）と、この排気ファンの吸込口を形成するリング状のオリフィス３と、このオリフィス３を係止するツメ部１１を有するオリフィス取付部１０とを備えている。オリフィス３は、周縁部６に、ツメ部１１を差し込み可能な切欠き部４が形成されている。この切欠き部４に差し込まれたツメ部１１に周縁部６が係止されてオリフィス取付部１０にオリフィス３が取り付けられる。
【００１４】
図２に示すように、レンジフード１は、調理器２１の上方に設置される。排気ファン２はファンケーシング２０の内部に縦向きに配置され、調理器２１による調理時に発生した油煙等を含んだ空気を排気する。排気ファン２の下方には、吸込口を形成するオリフィス３が着脱可能にファンケーシング２０の底板２０ａに沿って横向きに取り付けられている。ファンケーシング２０の天面には吐出口２２が設けられ、この吐出口２２には屋外と連通するダクト２３が接続されている。
【００１５】
レンジフード１は、また、下面が開放された略箱状のフード外枠２４がファンケーシング２０を覆うように設けられ、フード外枠２４の下面には、開口２６を有する内フード２５が取り付けられている。内フード２５の下面には、開口２６を覆うフィルター２７が設けられている。
【００１６】
以上の構成のレンジフード１において排気ファン２を作動させると、調理で発生した油煙等を含んだ空気は、フィルター２７を通過し、オリフィス３から吸い込まれ、ファンケーシング２０、ダクト２３を通って屋外に排出される。
【００１７】
レンジフード１のオリフィス３のオリフィス取付部１０への取付構造についてより詳細に説明する。
【００１８】
図１（ａ）に示すように、リング状のオリフィス３は、径方向外側の周縁部６ａに、径方向内側に凹んだ切欠き部４が形成されている。切欠き部４は、ツメ部１１を差し込むことができる大きさを有している。切欠き部４は３つあり、これらは等間隔に設けられている。
【００１９】
オリフィス３の径方向外側の周縁部６ａには、図１（ｂ）に示すように、その下面に、半球形状のストッパー５が下方に突出して設けられている。ストッパー５の突出高さは、後述する係止片１２と当接し得る高さを有している。このストッパー５は、切欠き部４から周方向に所定の距離離れた位置に形成されている。この距離は、オリフィス３の周縁部６を係止片１２でより確実に係止するために、少なくとも、係止片１２の幅（周方向の長さ）に一致する長さを有していることが望ましい。
【００２０】
オリフィス３が取り付けられるオリフィス取付部１０としてのファンケーシング２０の底板２０ａは、空気を取り込むための開口２８を有している。底板２０ａの外側面には、オリフィス３を係止するツメ部１１が設けられている。ツメ部１１は、オリフィス３の径方向外側の周縁部６ａを挟持可能な鉤状形状の係止片１２を備えている。係止片１２は、その幅が切欠き部４の周方向長さよりも短く形成されるなど、切欠き部４に差し込むことができる寸法を有して形成されている。このようなツメ部１１は、底板２０ａの開口２８の周囲３箇所に等間隔に設けられており、各ツメ部１１は、係止片１２の先端が開口２８中央部に向くように配置されている。
【００２１】
オリフィス３を底板２０ａに取り付けるにあたっては、オリフィス３の径方向内側の開口７が底板２０ａの開口２８と重なるように、またオリフィス３にある３つの切欠き部４それぞれが底板２０ａにある３つのツメ部１１と重なるように、オリフィス３の位置合わせをする。次いで、オリフィス３を底板２０ａに押し付けるようにして切欠き部４にツメ部１１の係止片１２を差し込み、係止片１２がストッパー５と当接するまでオリフィス３を周方向に回転させる。係止片１２がストッパー５と当接した状態においては、オリフィス３の径方向外側の周縁部６ａが係止片１２に挟持されている。こうしてオリフィス３の周縁部６の３箇所がツメ部１１に係止されてオリフィス３が底板２０ａに取り付けられる。なお、オリフィス３を回転させるため、指で摘んで操作する摘みを周縁部６ａに設けていてもよい。
【００２２】
従来は、オリフィスを蝶ボルトでネジ止めして取り付けており、位置合わせしたオリフィスがずれないように一方の手で押さえつつ他方の手でネジ穴に蝶ボルトを差し込みネジ止めしていた。このような作業は高所で行うこともあって時間がかかっていた。本実施形態では、オリフィス３を底板２０ａに取り付けるに際しての位置合わせ、切欠き部４へのツメ部１１の差し込み、オリフィス３の回転などの各作業は、両手でオリフィス３を保持しながらできるため、容易にしかも迅速に行うことができる。オリフィス３を底板２０ａから取り外すに際しては上記したオリフィス３の取り付けの手順を逆に行えばよいため、やはり容易にしかも迅速に行うことができる。このように本実施形態のレンジフード１は、オリフィス３の着脱を容易にすることができる。
【００２３】
本実施形態では、ストッパー５が３つ設けられているが１つでもよい。ストッパー５を有しない構成とすることもできるが、オリフィス３の取り付け作業をより確実にするためにストッパー５を有した構成とすることが望ましい。
【００２４】
上記した実施形態のレンジフード１は、縦向きに排気ファン２が配置され排気ファン２の下方にオリフィス３が横向きに取り付けられているが、横向きに排気ファン２が配置され排気ファン２の側方にオリフィス３が縦向きに取り付けられている構成とすることもできる。
【００２５】
図３（ａ）は、レンジフードの別の実施形態を示した要部斜視図であり、図３（ｂ）はオリフィスのファンケーシングへの取り付けの説明図である。なお、図３（ａ）は、レンジフードのファンケーシングを示している。図１−図２に示した実施形態と同じ部分には同一の符号を付し、その説明を省略する。
【００２６】
図３（ａ）に示すように、本実施形態のレンジフード３０は、排気ファン（図示なし）が横向きに配置されており、オリフィス取付部１０としてのファンケーシング２０の側板２０ｂにオリフィス３１が縦向きに取り付けられている。
【００２７】
オリフィス３１には、周縁部３３の４箇所に、切欠き部３２が等間隔に設けられている。４つある切欠き部３２のうち３つは径方向外側の周縁部３３ａに形成され、１つは径方向内側の周縁部３３ｂに形成されている。このオリフィス３１は、径方向内側の周縁部３３ｂにある切欠き部３２が上側に、その切欠き部３２に対向する径方向外側の周縁部３３ａの切欠き部３２が下側に位置するように取り付けられる。
【００２８】
ファンケーシング２０の側板２０ｂは、空気を取り込むための開口２９を有している。側板２０ｂの外側面には、オリフィス３１を係止するツメ部１１が設けられている。ツメ部１１は、オリフィス３１の周縁部３３を引っ掛けることができるように先端が上方に折れ曲がった係止片３４を備えている。係止片３４は、切欠き部３２に差し込むことができる寸法を有して形成されている。このようなツメ部１１は、オリフィス３１の切欠き部３２に対応して、側板２０ｂの開口２９の周囲４箇所に等間隔に設けられている。
【００２９】
オリフィス３１の側板２０ｂへの取り付けは、次の手順で行う。図３（ｂ）に示すように、まず、オリフィス３１の径方向内側の開口３５が側板２０ｂの開口２９と重なるように、また、オリフィス３１にある４つの切欠き部３２それぞれが側板２０ｂにある４つのツメ部１１と重なるようにオリフィス３１の位置合わせをする。次いで、オリフィス３１を側板２０ｂに押し付けるようにして切欠き部３２にツメ部１１の係止片３４を差し込み、そのままオリフィス３１を下方にスライドさせて係止片３４に引っ掛ける。こうしてオリフィス３１の周縁部３３の４箇所が切欠き部３２付近においてツメ部１１に係止されて側板２０ｂにオリフィス３１が取り付けられる。
【００３０】
オリフィス３１を側板２０ｂに取り付けるに際しての位置合わせ、切欠き部３２へのツメ部１１の差し込み、オリフィス３１の下方へのスライドなどの各作業は、両手でオリフィス３１を保持しながらできるため、容易にしかも迅速に行うことができる。オリフィス３１を側板２０ｂから取り外すに際しては上記したオリフィス３１の取り付けの手順を逆に行えばよいため、やはり容易にしかも迅速に行うことができる。このように本実施形態のレンジフード３０においても、オリフィス３１の着脱を容易にすることができる。
【００３１】
以上、実施形態に基づき本発明を説明したが、本発明は上記の実施形態に何ら限定されるものではなく、その要旨を逸脱しない範囲内において各種の変更が可能である。たとえば、オリフィスの切欠き部及びそれに対応するオリフィス取付部のツメ部は、その形状、位置、数などは本発明の効果を損なわない範囲で適宜設定することができる。
【符号の説明】
【００３２】
１，３０  レンジフード
２  排気ファン
３，３１  オリフィス
４，３２  切欠き部
５  ストッパー
６，３３  周縁部
１０  オリフィス取付部
１１  ツメ部
【図１】
2015148388.tif 000003
【図２】
2015148388.tif 000004
【図３】
2015148388.tif 000005